(57)【特許請求の範囲】
【請求項１】
建物の２つの壁面から形成される入隅部にて庇を支持する庇支持ブラケットであって、
各々の前記壁面と対面する２つの対面部と、
前記２つの対面部を繋ぎ、前記入隅部の建物躯体に対し固定される躯体固定具が挿通される躯体固定部と、
前記２つの壁面のうちのいずれか一方の壁面側に設けられており、前記庇が固定される庇固定部と、
を有し、
前記２つの壁面のうちの少なくとも一方から離れて移動可能に前記庇に保持される第１ポジションと、
前記２つの対面部が前記２つの壁面と対面して前記庇に固定される第２ポジションと、に配置可能であり、
前記庇固定部は、前記庇に向かって進入する庇固定具により固定され、
当該庇固定具が挿通されて前記第１ポジションと前記第２ポジションとの間で移動可能に、前記庇固定具の相対移動を許容する挿通孔を有し、
前記第１ポジションと前記第２ポジションとの間は、前記庇固定具を中心として回転することにより移動することを特徴とする庇支持ブラケット。
【請求項２】
請求項１に記載の庇支持ブラケットであって、
前記第１ポジションにおいて、当該庇支持ブラケットから離れて位置する前記壁面との間に形成される空隙は、当該壁面と前記庇との間に充填される充填材の幅より広いことを特徴とする庇支持ブラケット。
【請求項３】
請求項１または請求項２に記載の庇支持ブラケットであって、
前記躯体固定具の進入方向に沿う仮想直線を軸とする対称形状をなしていることを特徴とする庇支持ブラケット。
【請求項４】
建物の２つの壁面から形成される入隅部にて庇を支持する庇支持ブラケットによる入隅部における庇の支持方法であって、
各々の前記壁面に対面する２つの対面部と、
前記２つの対面部を繋ぎ、前記入隅部の建物躯体に対し固定される躯体固定具が挿通される躯体固定部と、
前記庇に向かって進入する庇固定具の相対移動を許容する挿通孔を有し前記挿通孔に挿通された前記庇固定具により前記庇が固定される庇固定部と、
を有する庇支持ブラケットを、前記２つの壁面のうちのいずれか一方の壁面側に設けられた前記庇固定部の前記挿通孔に挿通された前記庇固定具により、当該庇固定具を中心として回転した際に、前記２つの壁面のうちの少なくとも一方から離れて移動可能に前記庇に保持される第１ポジションと、前記２つの対面部が前記２つの壁面と対面して前記庇に固定される第２ポジションと、に移動可能に保持させるブラケット保持ステップと、
前記入隅部に配置された前記庇とともに、前記第１ポジションに前記庇支持ブラケットを配置するブラケット配置ステップと、
前記庇に保持された前記庇支持ブラケットを、前記庇固定具を中心として回転させ、前記第２ポジションに移動させて前記庇固定具により前記庇に固定する庇固定ステップと、
前記躯体固定具を前記躯体固定部に挿通させて前記建物躯体に固定する躯体固定ステップと、
を有することを特徴とする入隅部における庇の支持方法。
【発明の詳細な説明】
【技術分野】
【０００１】
本発明は、庇支持ブラケット及び入隅部における庇の支持方法に関する。
【背景技術】
【０００２】
建物の側壁に庇を取り付ける場合には、建物の外壁の内側に設けられている躯体にボルトなどにより固定する。このとき、建物の入隅部をなす角部には、庇の縁と対向する位置に躯体が設けられていないため、建物の施工時に、当該建物の軸組支柱に受け金具を固定し、この受け金具に、側壁より外側突出するように予め取り付けられた入隅根元固定金具に庇フレームを取り付けている（例えば、特許文献１参照）。
【先行技術文献】
【特許文献】
【０００３】
【特許文献１】特許第３５７８３０１号公報
【発明の概要】
【発明が解決しようとする課題】
【０００４】
上記のように取り付けられる庇を、既存の建物の入隅部に設ける場合には、一旦、側壁を形成する外壁材を剥がして、建物の軸組支柱に施工用の補強柱や受け金具、入隅根元固定金具を設けなければならず、繁雑な作業と多大なコストが発生するという課題がある。
【０００５】
本発明は、かかる課題に鑑みてなされたものであり、その目的とするところは、建物の入隅部において容易に庇を支持することが可能な庇支持ブラケット及び入隅部における庇の支持方法を提供することにある。
【課題を解決するための手段】
【０００６】
かかる目的を達成するために本発明の庇支持ブラケットは、建物の２つの壁面から形成される入隅部にて庇を支持する庇支持ブラケットであって、各々の前記壁面と対面する２つの対面部と、前記２つの対面部を繋ぎ、前記入隅部の建物躯体に対し固定される躯体固定具が挿通される躯体固定部と、前記２つの壁面のうちのいずれか一方の壁面側に設けられており、前記庇が固定される庇固定部と、を有し、前記２つの壁面のうちの少なくとも一方から離れて移動可能に前記庇に保持される第１ポジションと、前記２つの対面部が前記２つの壁面と対面して前記庇に固定される第２ポジションと、に配置可能であり、前記庇固定部は、前記庇に向かって進入する庇固定具により固定され、当該庇固定具が挿通されて前記第１ポジションと前記第２ポジションとの間で移動可能に、前記庇固定具の相対移動を許容する挿通孔を有し、前記第１ポジションと前記第２ポジションとの間は、前記庇固定具を中心として回転することにより移動することを特徴とする庇支持ブラケットである。
【０００７】
このような庇支持ブラケットによれば、２つの対面部が入隅部の２つの壁面に各々対面された庇支持ブラケットを、躯体固定部を挿通して建物躯体に対して固定される躯体固定具により、建物躯体に確実に固定することが可能である。また、庇支持ブラケットが有する庇固定部に庇が固定されるので、庇支持ブラケットを介して庇を建物躯体に固定することが可能である。このため、建物の壁を剥がすことなく、建物の入隅部において容易に庇を支持することが可能である。
【０００９】
また、第１ポジションに配置したときには、２つの壁面のうちの少なくとも一方から離れているので、庇支持ブラケットによる壁面の損傷を抑えることが可能である。このため、庇を配置する際には第１ポジションに配置し、庇を配置した後に、庇支持ブラケットを移動させて２つの対面部を２つの壁面に対面させることにより、２つの壁面の損傷を抑えつつ、適切な固定位置に庇支持ブラケットを配置することが可能である。
【００１１】
また、庇固定部に設けられた挿通孔に挿通された庇固定具により保持された状態にて、庇支持ブラケットを第１ポジションと第２ポジションとの間で移動させることが可能である。
【００１３】
また、当該庇支持ブラケットは、一方の壁面側に位置する庇固定具を中心として回転するので、他方の壁面側により広い空隙を形成することが可能である。
【００１４】
かかる庇支持ブラケットであって、前記第１ポジションにおいて、当該庇支持ブラケットから離れて位置する前記壁面との間に形成される空隙は、当該壁面と前記庇との間に充填される充填材の幅より広いことが望ましい。
【００１５】
このような庇支持ブラケットによれば、第１ポジションに配置された庇支持ブラケットから離れて位置する壁面との間の空隙は、当該壁面と庇との間に充填される充填材の幅より広いので、庇支持ブラケットを第１ポジションに配置した状態であっても、壁面と庇との間に充填材を容易に充填することが可能である。
【００１６】
かかる庇支持ブラケットであって、前記躯体固定具の進入方向に沿う仮想直線を軸とする対称形状をなしていることが望ましい。
このような庇支持ブラケットによれば、２つの壁面のいずれの側に充填材を充填する場合であっても、単一の庇支持ブラケットを用いることが可能である。
【００１７】
また、建物の２つの壁面から形成される入隅部にて庇を支持する庇支持ブラケットによる入隅部における庇の支持方法であって、各々の前記壁面に対面する２つの対面部と、前記２つの対面部を繋ぎ、前記入隅部の建物躯体に対し固定される躯体固定具が挿通される躯体固定部と、前記庇に向かって進入する庇固定具の相対移動を許容する挿通孔を有し前記挿通孔に挿通された前記庇固定具により前記庇が固定される庇固定部と、を有する庇支持ブラケットを、前記２つの壁面のうちのいずれか一方の壁面側に設けられた前記庇固定部の前記挿通孔に挿通された前記庇固定具により、当該庇固定具を中心として回転した際に、前記２つの壁面のうちの少なくとも一方から離れて移動可能に前記庇に保持される第１ポジションと、前記２つの対面部が前記２つの壁面と対面して前記庇に固定される第２ポジションと、に移動可能に保持させるブラケット保持ステップと、前記入隅部に配置された前記庇とともに、前記第１ポジションに前記庇支持ブラケットを配置するブラケット配置ステップと、前記庇に保持された前記庇支持ブラケットを、前記庇固定具を中心として回転させ、前記第２ポジションに移動させて前記庇固定具により前記庇に固定する庇固定ステップと、前記躯体固定具を前記躯体固定部に挿通させて前記建物躯体に固定する躯体固定ステップと、を有することを特徴とする入隅部における庇の支持方法である。
【００１８】
このような入隅部における庇の支持方法によれば、２つの対面部が入隅部の２つの壁面に各々対面された庇支持ブラケットを、躯体固定部を挿通して建物躯体に対して固定される躯体固定具により、建物躯体に確実に固定することが可能である。また、庇支持ブラケットが有する庇固定部に庇が固定されるので、庇支持ブラケットを介して庇を建物躯体に固定することが可能である。このため、入隅部であっても、建物の壁を剥がすことなく、容易に庇を支持することが可能である。
【発明の効果】
【００１９】
本発明によれば、建物の入隅部において容易に庇を支持することが可能な庇支持ブラケット及び入隅部における庇の支持方法を提供することが可能である。
【図面の簡単な説明】
【００２０】
【図１】本実施形態に係る庇ユニットを示す平面図である。
【図２】図１におけるＡ矢視図である。
【図３】図１におけるＢ矢視図である。
【図４】庇支持ブラケットを示す斜視図である。
【図５】図１のＣ部において庇より下の部位を示す平面図である。
【図６】入隅部における庇の支持方法を示す図である。
【図７】庇支持ブラケットの第１変形例を示す斜視図である。
【図８】庇支持ブラケットの第２変形例を示す斜視図である。
【発明を実施するための形態】
【００２１】
以下、本発明の一実施形態に係る庇支持ブラケット及び入隅部における庇の支持方法について図面を参照して説明する。
本実施形態においては、図１に示すような、建物１を形成する２つの壁面１ａ、１ｂにより形成される入隅部１ｃに設けられる上吊り型の庇ユニット１０を例に挙げて説明する。この庇ユニット１０は、建物１に後付け可能に構成されている。
【００２２】
以下の説明において、庇ユニット１０を構成する各部材については単体の状態であっても、建物１に取り付けられた状態にて上下方向の方向、室内側、及び、室外側を特定して説明する。
【００２３】
庇ユニット１０は、図１〜図３に示すように、長方形状をなす庇１１と、庇１１の、建物１に沿う長辺側の端部を収容して壁面１ａに固定する正面固定部材１２と、建物１に沿う短辺側の端部を壁面１ｂに固定する側面固定部材１３と、庇１１を建物１の建物躯体２に固定して庇１１を上方から吊る吊り材１４と、を有している。ここで、庇１１の長辺側が沿わされる壁面を正面壁面１ａとし、庇１１の短辺側が沿わされる壁面を側面壁面１ｂとして説明する。
【００２４】
庇１１は、当該庇１１の長辺側の端部が正面固定部材１２を介して正面壁面１ａを貫通するボルト３により建物躯体２に固定され、庇１１の短辺側の端部が側面固定部材１３を介して側面壁面１ｂを貫通するボルト３により建物躯体２に固定されている。このとき、庇１１の長辺側の端部は正面固定部材１２に収容されて固定されており、庇１１の短辺側の端部と側面壁面１ｂとの間には、バックアップ材が介在されて、その外側に充填材が充填されている。ここで、充填材としては、庇１１の上面側をシールするためのシール材４が用いられており、このシール材４は庇１１の下面側まで繋がって設けられている。
【００２５】
正面壁面１ａを形成する外壁材及び側面壁面１ｂをなす外壁材の内側には、建物躯体２をなす柱及び間柱が適宜間隔を空けて設けられており、庇１１の端部を固定するボルト３は、これら柱及び間柱に締め込まれている。このとき、入隅部１ｃの角には、庇１１の長辺側の端部及び庇１１の短辺側の端部と対向する位置に建物躯体は設けられていない。このため、正面固定部材１２と側面固定部材１３とだけでは、庇１１の角部を入隅部１ｃの角に強固に固定することができない。そこで、本実施形態の庇ユニット１０は、庇１１の角部を入隅部１ｃの角に強固に固定するための庇支持ブラケット２０により下側から支持されている。
【００２６】
庇支持ブラケット２０は、図４、図５に示すように、正面壁面１ａ及び側面壁面１ｂと対面する２つの対面部２１と、２つの対面部２１の入隅部１ｃの角側の縁を繋ぎ、入隅部１ｃの角に正面壁面１ａ及び側面壁面１ｂより室内側に設けられた柱をなす建物躯体２に向かって進入する躯体固定具としてのボルト６が貫通して固定される躯体固定部２２と、庇１１が固定される庇固定部２３と、を有している。
【００２７】
本実施形態の入隅部１ｃは、正面壁面１ａと側面壁面１ｂとが直角をなしているので、２つの対面部２１も直交するように配置されている。また、躯体固定部２２は、２つの対面部２１と、各々４５度をなすように形成されている。そして、２つの対面部２１を正面壁面１ａ及び側面壁面１ｂに当接させると、躯体固定部２２の中央から当該躯体固定部２２の法線方向に延びる仮想直線Ｌが入隅部１ｃの角を通るように形成されている。このため、躯体固定部２２の中央に設けられた貫通孔２２ａを室外側から貫通させたボルト６は、建物躯体２に向かって進入し締め込まれることにより、２つの対面部２１を正面壁面１ａ及び側面壁面１ｂに当接した状態で、庇支持ブラケット２０がボルト６により建物躯体２に固定される。
【００２８】
庇固定部２３は、２つの対面部２１の上縁から各々室外側に向かって、ほぼ水平方向に延出されて２箇所に設けられており、２箇所の庇固定部２３には各々、庇１１に螺合される庇固定具としてのビス５が下方から挿通される挿通孔としての長孔２３ａが設けられている。長孔２３ａについては後に詳述する。
【００２９】
庇支持ブラケット２０は、入隅部１ｃであって庇１１の下側に設けられるため、使用者が見上げた際には視認可能な位置に配置されるが、意匠性を考慮すると、より小さく視認されにくいことが望ましい。一方、施工性を考慮すると、庇支持ブラケット２０が小さい場合には、正面壁面１ａと側面壁面１ｂとに近接した位置にビス５を締め込まなければならないため、入隅部１ｃに庇１１が配置された後に、庇支持ブラケット２０の長孔２３ａにビス５を挿通させて締め込むと作業性が悪い。このため、本庇支持ブラケット２０は、庇１１に予め保持させておくこととしている。
【００３０】
また、庇１１と側面壁面１ｂとの間には、シール材４を充填しなければならないため、庇１１を入隅部１ｃに配置したときに、庇支持ブラケット２０が予め側面壁面１ｂと近接する位置に保持されていると、シール材４を充填し難くなる。このため、庇支持ブラケット２０の庇固定部２３に設けられてビス５が挿通される孔を長孔２３ａとしている。
【００３１】
より具体的には、庇固定部２３に設けられた長孔２３ａは、入隅部１ｃに配置された庇１１に、長孔２３ａに挿通されたビス５が螺合されている状態で、少なくとも側面壁面１ｂとの間に空隙Ｓを有するように配置される第１ポジションと、２つの対面部２１が正面壁面１ａ及び側面壁面１ｂと各々対面する第２ポジションとに移動が許容される形状をなしている。庇支持ブラケット２０が第１ポジションにおいて側面壁面１ｂとの間に形成する空隙Ｓは、庇１１の下側から庇１１と側面壁面１ｂとの間にシール材４を充填可能な空隙Ｓであり、例えば、少なくともシール材４を充填するための工具のノズルが入り込むことが可能な空隙Ｓである。
【００３２】
そして、より小さな庇支持ブラケット２０により、２つの対面部２１が正面壁面１ａ及び側面壁面１ｂと各々対面する第２ポジションに配置可能とする一方で、庇１１と側面壁面１ｂとの間により広い空隙Ｓを形成する為には、正面壁面１ａと対向する対面部２１側に設けられた庇固定部２３の長孔２３ａにて移動可能に保持し、庇支持ブラケット２０を回転させて庇１１と側面壁面１ｂとの間を広げることが望ましい。すなわち、本実施形態の庇支持ブラケット２０は、２つの庇固定部２３を有しているが、シール材４を充填しない側の壁面と対向する対面部２１側のみに庇固定部２３及び長孔２３ａが設けられていれば構わない。本実施形態の庇支持ブラケット２０が２つの庇固定部２３を有しているのは、入隅部１ｃを形成する２つの壁面のうちのいずれの側にシール材４を充填する場合であっても、同一の庇支持ブラケット２０を使用できるように、躯体固定部２２の中央から当該躯体固定部２２の法線方向に延びる仮想直線Ｌを軸として対称形状に形成されている。
【００３３】
庇支持ブラケット２０を用いた入隅部１ｃにおける庇１１の支持方法は、まず、建物１に取り付けられる前の庇１１において入隅部１ｃに配置される角部の下面側に、庇固定部２３の長孔２３ａを挿通させたビス５により庇支持ブラケット２０を、ビス５を軸に第１ポジションと第２ポジションとの間にて回転可能に保持させる（ブラケット保持ステップ）。このとき、庇１１を所定の位置に配置するまでは、庇支持ブラケット２０が回転不能に仮固定されていても良い。
【００３４】
次に、庇１１を吊り材１４により正面壁面１ａから吊るとともに、正面固定部材１２及び側面固定部材１３により庇１１の端部を正面壁面１ａ及び側面壁面１ｂに固定する。このとき、図６（ａ）に示すように、庇支持ブラケット２０と側面壁面１ｂとの間に空隙Ｓが形成されるように離れた位置に庇支持ブラケット２０を配置しておく（ブラケット配置ステップ）。図６（ａ）においては、庇ユニット１０を下から見た状態を示している。
【００３５】
次に、図６（ｂ）に示すように、庇１１に保持された庇支持ブラケット２０を回転させて２つの対面部２１が正面壁面１ａ及び側面壁面１ｂと各々対面する第２ポジションに移動させ、図６（ｃ）に示すように、ビス５を締め込んで固定する（庇固定ステップ）。図６（ｂ）においては、庇支持ブラケット２０を上から見た状態を示し、図６（ｃ）においては、庇ユニット１０および庇支持ブラケット２０を図１に示すＢから見た状態を示している。
【００３６】
最後に、図６（ｄ）に示すように、ボルト６を躯体固定部２２の貫通孔２２ａに挿通させて建物躯体２に締め込み庇支持ブラケット２０に固定された庇１１を建物躯体２に固定する（躯体固定ステップ）。図６（ｄ）においては、庇支持ブラケット２０を上から見た状態を示している。
【００３７】
本実施形態の庇支持ブラケット２０によれば、２つの対面部２１が入隅部１ｃを形成する正面壁面１ａ及び側面壁面１ｂに各々対面された庇支持ブラケット２０を、躯体固定部２２を挿通して建物躯体２に対して固定されるボルト６により、建物躯体２に確実に固定することが可能である。また、庇支持ブラケット２０が有する庇固定部２３に庇１１が固定されるので、庇支持ブラケット２０を介して庇１１を建物躯体２に固定することが可能である。このため、建物１の壁を剥がすことなく、建物１の入隅部１ｃにおいて容易に庇１１を支持することが可能である。また、庇１１の、入隅部１ｃ側の角部は、庇支持ブラケット２０により建物躯体２に固定されているので、例えば、庇１１の下から庇１１が煽られても庇１１が変形することを防止することが可能である。
【００３８】
また、庇支持ブラケット２０を第１ポジションに配置したときには、正面壁面１ａ及び側面壁面１ｂから離れているので、庇支持ブラケット２０により正面壁面１ａ及び側面壁面１ｂを損傷する虞はない。このため、庇１１を配置する際には第１ポジションに配置し、庇１１を配置した後に、庇支持ブラケット２０を回転させて２つの対面部２１を正面壁面１ａ及び側面壁面１ｂにそれぞれ当接させることにより、正面壁面１ａ及び側面壁面１ｂを損傷することなく、適切な固定位置に庇支持ブラケット２０を配置することが可能である。
【００３９】
また、庇固定部２３にビス５が挿通される孔を長孔２３ａとしたので、長孔２３ａに挿通されたビス５により保持された状態にて、庇支持ブラケット２０を第１ポジションと第２ポジションとの間で移動させることが可能である。
【００４０】
また、庇支持ブラケット２０が第１ポジションに位置している時には、側面壁面１ｂとの間に当該側面壁面１ｂに沿って充填されるシール材４の幅より広い空隙Ｓが形成されているので、庇支持ブラケット２０を第１ポジションに配置して側面壁面１ｂとの間に容易にシール材４を充填することが可能である。このとき、庇支持ブラケット２０を第１ポジションに配置する際に、少なくとも側面壁面１ｂから離しておくことにより、側面壁面１ｂに沿ってシール材４を容易に充填することは可能である。
【００４１】
また、庇支持ブラケット２０は、シール材４が充填される側面壁面１ｂと異なる正面壁面１ａ側に位置する庇固定部２３にビス５を挿通させて保持させるので、庇固定部２３に挿通されたビス５を中心として回転する。このため、シール材４が充填される側面壁面１ｂ側により広い空隙Ｓを形成することが可能である。
【００４２】
また、庇支持ブラケット２０はビス５の進入方向に沿う仮想直線Ｌを軸とする対称形状をなしているので、正面壁面１ａ及び側面壁面１ｂのいずれの側にシール材４を充填する場合であっても、単一の庇支持ブラケット２０を用いることが可能である。このため、汎用性に優れた庇支持ブラケット２０を提供することが可能である。
【００４３】
また、本実施形態の入隅部１ｃにおける庇１１の支持方法によれば、２つの対面部２１が入隅部１ｃを形成する正面壁面１ａ及び側面壁面１ｂに各々対面された庇支持ブラケット２０を、躯体固定部２２を挿通して建物躯体２に対して固定されるボルト６により、建物躯体２に確実に固定することが可能である。また、庇支持ブラケット２０が有する庇固定部２３に庇１１が固定されるので、庇支持ブラケット２０を介して庇１１を建物躯体２に固定することが可能である。このため、入隅部１ｃであっても、建物１の壁を剥がすことなく、容易に庇１１を支持することが可能である。
【００４４】
上記実施形態においては、庇支持ブラケット２０が、２つの庇固定部２３を有しているが、必ずしも２つの庇固定部２３を有していなくとも構わない。例えば、図７に示すように、シール材４を充填しない側の壁面と対向する対面部２１側のみに庇固定部２３が設けられていても構わない。この場合には、シール材４を充填しない側の壁面に沿うように移動可能な長孔が設けられていることが望ましい。また、この場合には、シール材４を充填する壁面の位置に応じて使い分ける２種類の庇支持ブラケット２０を備える必要がある。
【００４５】
また、図８に示すように、第１ポジションにおいて２つの対面部２１が正面壁面１ａ及び側面壁面１ｂのいずれからも同様に離れるように、躯体固定部２２の上縁から室外側に延出させた庇固定部２３を設け、躯体固定部２２の中央から当該躯体固定部２２の法線方向に延びる仮想直線Ｌに沿う長孔２３ａが庇固定部２３に設けられていてもよい。
また、上記実施形態においては、充填材をシール材４としたが、庇１１の下面側においては、シール性を有していない充填材であっても構わない。
【００４６】
また、上記実施形態においては、庇固定部２３を対面部２１または躯体固定部２２の上縁から延出させて設けた例について説明したが、対面部２１または躯体固定部２２の下縁から延出させて設けてもよい。この場合には、庇支持ブラケットを庇の上側にて建物躯体に固定し、庇固定部２３を庇１１の上面に固定する。
【００４７】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４８】
１  建物、１ａ  正面壁面、１ｂ  側面壁面、１ｃ  入隅部、２  建物躯体、
４  シール材、５  ビス、６  ボルト、１１  庇、２０  ブラケット、
２１  対面部、２２  躯体固定部、２２ａ  貫通孔、２３  庇固定部、
２３ａ  長孔、
Ｌ  仮想直線、Ｓ  空隙、
【図１】
0006647950.tif 000002
【図２】
0006647950.tif 000003
【図３】
0006647950.tif 000004
【図４】
0006647950.tif 000005
【図５】
0006647950.tif 000006
【図６】
0006647950.tif 000007
【図７】
0006647950.tif 000008
【図８】
0006647950.tif 000009